(57)【要約】【課題】  この発明は、ハエ類、コナダニなどの低誘引性肥料を得ることを目的としたものである。【解決手段】  この発明は、有機質資材単独又は有機質資材に無機質資材を加えて加水、発酵させ、ｎ−吉草酸の濃度を１．１ｐｐｍ以下とし、無機質資材を加えて肥料成分を調整し、造粒、乾燥したことを特徴とする作物害虫の誘引性を低減した肥料により目的を達成した。【選択図】      なし【特許請求の範囲】
【請求項１】
有機質資材単独又は有機質資材に無機質資材を加えて加水、発酵させ、ｎ−吉草酸の濃度を１．１ｐｐｍ以下とし、かつ肥料成分を調整して、造粒、乾燥したことを特徴とする作物害虫の誘引性を低減した肥料。
【請求項２】
有機質資材単独又は有機質資材に無機質資材を加えて加水、発酵させ、ｎ−吉草酸の濃度を１．１ｐｐｍ以下とした発酵物資材に、サポニン含有植物油粕を添加し、有機質資材質量％に対し、粗サポニン含有率を０．３５質量％以上とし、かつ肥料成分を調整した後、造粒、乾燥したことを特徴とする作物害虫の誘引性を低減した肥料。
【請求項３】
有機質資材を配合、混合し、一定量加水後、積み上げて発酵させ、毎日もしくは１日おきに撹拌して発酵に必要な量の空気を混入した後、前記発酵物資材のｎ−吉草酸を検出し、その量が１．１ｐｐｍ以下になった時に発酵を中止し、無機質資材を加え肥料成分を調整し、混合、加水、造粒、乾燥することを特徴とした作物害虫の誘引性を低減した肥料の製造方法。
【請求項４】
有機質資材に、サポニン含有植物油粕を添加し、有機質資材質量％に対し、粗サポニン含有率を０．３５質量％以上とし、無機質資材を加え肥料成分を調整した後、配合、混合、加水、造粒して乾燥することを特徴とした作物害虫の誘引性を低減した肥料の製造方法。
【請求項５】
有機質資材を配合、混合し、一定量加水後、積み上げて発酵させ、毎日もしくは１日おきに撹拌して発酵に必要な量の空気を混入した後、前記発酵物資材のｎ−吉草酸を検出し、その量が１．１ｐｐｍ以下になった時に発酵を中止して得た肥料に、サポニン含有植物油粕を添加し、有機質資材質量％に対し、粗サポニンを０．３５質量％以上とし、かつ無機質資材を加え肥料成分を調整した後、配合、加水、造粒して乾燥することを特徴とした作物害虫の誘引性を低減した肥料の製造方法。
【請求項６】
有機質資材は、単一又は複数の有機質資材を混合することを特徴とした請求項３、４又は５記載の作物害虫の誘引性を低減した肥料の製造方法。
【請求項７】
有機質資材の割合を、製品に対し、１０質量％〜１００質量％とすることを特徴とした請求項３、４、５又は６記載の作物害虫の誘引性を低減した肥料の製造方法。
【発明の詳細な説明】
【技術分野】
【０００１】
この発明は、有機質資材を材料とした肥料において、作物害虫の誘引性を低減する特性を有する肥料を目的とした作物害虫の誘引性を低減する肥料及びその製造方法に関する。
【背景技術】
【０００２】
従来茶、山茶花又は椿の種子から搾油した粕の造粒物を腹足類に属する軟体動物忌避剤とする提案がある。
【０００３】
また、赤外線を発するゼオライトにタンニン酸、サポニンを含有する植物抽出物をバインダーにより含浸接着した忌避剤が知られている。
【０００４】
次にタンニン、サポニン及びニコチン酸アミドからなる化合物群から選択される少なくとも一種の海洋性動物に対し忌避効果があることが知られている。
【特許文献１】特開平８−１７５９２５
【特許文献２】特開２００１−２２６２１２
【特許文献３】特開平６−４９２７８
【発明の開示】
【発明が解決しようとする課題】
【０００５】
前記従来の技術中、特許文献１に記載する発明は、ナメクジ類、カタツムリ類などの軟体動物忌避剤として有効なことが知られているが、この発明の目的物たるハエ類、コナダニ等に対する効果は不明である。
【０００６】
また特許文献２に記載する発明は、ナメクジ、カタツムリ、ミミズなど軟体動物忌避剤として知られている。
【０００７】
更に特許文献３に記載する発明は、海洋性動物（フジツボ、カキ、イガイ、節足、軟体動物、海綿動物の忌避剤として有効なことが知られている。
【０００８】
前記は軟体動物の忌避に有効であるが、ハエ類、コナダニ類に有効か否か不明である。またサポニンが有効であることは記載されているが、サポニンの導入方法が未定であり、その対策についても皆無であるなどの問題点があった。
【０００９】
前記のように、軟体生物、例えばナメクジ又はカタツムリなどに有効な物が、直ちにハエなどに有効とはいえない。
【００１０】
更にハエ類、コナダニなどの誘引性を低減する点については全然記載がない問題点があった。
【課題を解決するための手段】
【００１１】
この発明は、有機質資材の誘引物質としてｎ−吉草酸を特定したのみならず、その有効量に対しても１．１ｐｐｍ以下に特定し、ハエ類の誘引性を低減した。またサポニン含有植物油粕の有機質資材質量％に対し、粗サポニンを０．３５質量％以上に特定することにより、ハエ類などの誘引性を低減することに成功し、前記従来達成できなかった（従来未解決であった）ハエ類について有効な肥料を得ることに成功したのである。
【００１２】
即ち肥料の発明は、有機質資材単独又は有機質資材に無機質資材を加えて加水、発酵させ、ｎ−吉草酸の濃度を１．１ｐｐｍ以下とし、かつ肥料成分を調整して、造粒、乾燥したことを特徴とする作物害虫の誘引性を低減した肥料であり、有機質資材単独又は有機質資材に無機質資材を加え、更にサポニン含有植物油粕を添加し、有機質資材質量％に対し、粗サポニン含有率を０．３５質量％以上に調整した後、造粒、乾燥したことを特徴とする作物害虫の誘引性を低減した肥料である。また、有機質資材単独又は有機質資材に無機質資材を加えて加水、発酵させ、ｎ−吉草酸の濃度を１．１ｐｐｍ以下とした発酵物資材に、サポニン含有植物油粕を添加し、有機質資材質量％に対し、粗サポニン含有率を０．３５質量％以上とし、かつ肥料成分を調整した後、造粒、乾燥したことを特徴とする作物害虫の誘引性を低減した肥料である。
【００１３】
次に製造方法の発明は、有機質資材を配合、混合し、一定量加水後、積み上げて発酵させ、毎日もしくは１日おきに撹拌して発酵に必要な量の空気を混入した後、前記発酵物資材のｎ−吉草酸を検出し、その量が１．１ｐｐｍ以下になった時に発酵を中止し、無機質資材を加え肥料成分を調整し、混合、加水、造粒、乾燥することを特徴とした作物害虫の誘引性を低減した肥料の製造方法であり、有機質資材に、サポニン含有植物油粕を添加し、有機質資材質量％に対し、粗サポニン含有率を０．３５質量％以上とし、無機質資材を加え肥料成分を調整した後、配合、混合、加水、造粒して乾燥することを特徴とした作物害虫の誘引性を低減した肥料の製造方法である。
【００１４】
また、有機質資材を配合、混合し、一定量加水後、積み上げて発酵させ、毎日もしくは１日おきに撹拌して発酵に必要な量の空気を混入した後、前記発酵物資材のｎ−吉草酸を検出し、その量が１．１ｐｐｍ以下になった時に発酵を中止して得た肥料に、サポニン含有植物油粕を添加し、有機質資材質量％に対し、粗サポニンを０．３５質量％以上とし、かつ無機質資材を加え肥料成分を調整した後、配合、加水、造粒して乾燥することを特徴とした作物害虫の誘引性を低減した肥料の製造方法である。当該肥料において、有機質資材は、単一又は複数の有機質資材を混合するものであり、有機質資材の割合は、製品に対し、１０質量％〜１００質量％とするものである。
【００１５】
前記発明において、ｎ−吉草酸の濃度を１．１ｐｐｍとしたのは、実験上６．８ｐｐｍでは、イエバエの産卵数が２００あったのに対し、１．１ｐｐｍでは、５以下であったからである。従って、６．８ｐｐｍ未満ならば、イエバエの誘引性を低減できる可能性があり、３．０ｐｐｍ位にすればイエバエの誘引性を更に低減できる可能性がある。この実用的境界については今後の研究により明らかにする。
【００１６】
また粗サポニンの含有量についても、０．１４質量％では５０個の産卵があったので、０．３５質量％としたもので、或いは０．２質量％が境界をなす可能性がある。
【００１７】
この発明において、有機質資材が主要資材であるけれども、無機質資材は０〜９０質量％まで混合できる。
【００１８】
前記において、この発明の発酵物資材に無機質資材を混合する際の無機質資材の混合量は、肥料成分を勘案して定める。従って有機質資材に肥料成分が多い場合には、無機質資材の混合量を少なくする。この点は従来行われているように、肥料を使用すべき植物に対応して定める。
【００１９】
この発明における造粒は、従来使用されている押出成形（ペレット）、圧縮成型（ブリケッティング）、転動造粒（ドラム又は皿形造粒）又はこれらの組合せ方式（アグレット造粒）を使用することができるが、造粒方法に限定されるものではない。
【００２０】
前記造粒方式によって造粒水分含有率は、例えば１０％〜４０％の間で、適宜採用している。
【００２１】
この発明では、サポニン含有物として、植物油粕を使用したが、他の物質、例えばヒトデを使用しても、ハエ類の誘引性を低減できる可能性がある。
【発明の効果】
【００２２】
この発明によれば、肥料中に含まれるｎ−吉草酸の濃度を１．１ｐｐｍ以下にしたので、ハエ類、コナダニ等の誘引性を著しく低減する効果がある。
【００２３】
またサポニン含有植物油粕を添加し、有機質資材質量％に対し、粗サポニン含有率を０．３５質量％以上としたので、ハエ類の誘引性を低減できる効果がある。
【００２４】
更に、ｎ−吉草酸濃度１．１ｐｐｍの肥料の、有機質資材質量％に対し、粗サポニンを０．３５質量％以上とした場合においても、ハエ類の誘引性を低減できる効果がある。
【発明を実施するための最良の形態】
【００２５】
この発明は、有機質資材を２以上混合、加水、発酵し、ガス検知管で測定したｎ−吉草酸の濃度が１．１ｐｐｍ以下になるまで発酵を継続し、濃度が０．３８ｐｐｍになった時に発酵を中止して得た発酵物資材と、無機質資材とを混合し、肥料成分を調整後、造粒、乾燥して粒状肥料製品を得た。
【００２６】
また他の発明は、有機質資材に、無機質資材を等量加え、これにサポニン含有植物油粕を添加し、有機質資材質量％に対し、粗サポニンを０．３５質量％に調整した後、造粒、乾燥して、この発明の製品を得た。
【００２７】
次に前記発酵有機質資材（ｎ−吉草酸濃度０．３８ｐｐｍ）より得た肥料に、有機質資材質量％に対し、粗サポニンを０．３５質量％混合し、造粒、乾燥してこの発明の製品を得た。
【実施例１】
【００２８】
植物油粕、魚粕、動物粕粉末等を等量宛混合した有機質資材に水を加えて、水分含有量が２０％〜４５％になるように調整し、自然発酵させる。この間毎日又は１日おきに十分切りかえして酸素が十分行きわたるようにする。発酵開始から１ヶ月〜２ヶ月の間に、ガス検知管を用いてｎ−吉草酸の濃度を測定し、該濃度が０．３８ｐｐｍ以下になった時点で発酵を中止し、発酵物資材を得る。そこで発酵物資材に尿素、硫安、燐安、過石、塩加、硫加、苦土肥料、微量要素複合肥料、化成肥料、粘土鉱物などを１種又は複数種（例えば１０質量％程度）混合し、加水（造粒水分含有率１０％〜４０％）、造粒、乾燥すれば、この発明の肥料が完成する。
【００２９】
前記において、ｎ−吉草酸の濃度が１．１％以下になる日数は、有機質資材の材質によって異なるが、発酵開始日数と、ｎ−吉草酸の濃度とは、表１のような関係があるので、目安をつけることができる。
【表１】
2006036584.tif 000002
【００３０】
前記表１において、ｎ−吉草酸の濃度と、酢酸濃度とは相関するので、酢酸濃度により、イエバエ誘引低減性の目安とすることができる。
【００３１】
前記における臭気測定方法は次の方法を用いた。
【００３２】
底面から高さ１２ｃｍの壁面に径１ｃｍの穴を開けた円筒の容器（高さ２０ｃｍ、上面直径１８ｃｍ、底面直径１５ｃｍ）にて、臭気測定サンプルをすりきり一杯充填したノイバウェルポットを容器の中に入れ、蓋をした後、１分放置後、容器壁面の穴よりガス検知管で臭気を測定。
【実施例２】
【００３３】
有機質資材に等量の無機質資材を混合してなる有機質・無機質の混合肥料原料に、サポニン含有植物油粕を添加し、有機質資材質量％に対し、粗サポニンを０．３５質量％以上に調整して、混合物とし、この混合物に造粒水分含有率１０％〜４０％になるように加水した後造粒し、乾燥することにより、この発明の肥料製品を得た。この場合のハエ類の誘引低減効果は表２のとおりである。
【表２】
2006036584.tif 000003
【実施例３】
【００３４】
有機質資材（植物油粕、魚粕、動物粕粉末等）を混合、加水、発酵させて得たｎ−吉草酸の少ない発酵物資材に、有機質資材質量％に対し、粗サポニンを０．３５質量％混合して、混合肥料原料とする。
【００３５】
前記混合肥料原料に加水して造粒水分含有率１０％〜４０％とした後、造粒、乾燥してこの発明の肥料を製造した所、表３の結果を得た。
【表３】
2006036584.tif 000004
【００３６】
前記のように、発酵４０日以上で、イエバエ誘引性低減が確認された。
【００３７】
即ち有機質資材を発酵させただけでは発酵期間４０日は、未だ不十分（表１）であったが、サポニン含有植物油粕を添加することにより誘引性の低減が認められた。
【００３８】
［試験例１］
ケナガコナダニの誘引低減性効果確認試験を下記の要領により行った所、表４の結果を得た。
【表４】
2006036584.tif 000005
【００３９】
前記のように、発酵４０日以上で、ケナガコナダニ誘引性低減が確認された。
【００４０】
即ち、有機質資材（未発酵）にサポニン含有植物油粕を添加するだけでは、不十分であったが、発酵期間を４０日以上とすることにより、誘引性の低減が認められた。
【００４１】
前記肥料は、タネバエ、イエバエ、コナダニなどに有効であることが認められた。
【００４２】
試験方法
（１）シャーレにろ紙を半分に切ったものを約１ｃｍ離して並べ、ろ紙に水１ｍｌを加え湿らせた。
【００４３】
（２）湿らせたろ紙の上に各種肥料サンプルを約１ｇ計量し、スパチュラで幅１ｃｍに広げて置き、中央の色紙（黒）の上にダニを２５頭ずつ筆で放飼した。
【００４４】
（３）デシケーター内に肥料及びケナガコナダニの入ったシャーレを設置した。なお、シャーレのフタは外した。
【００４５】
（４）試験開始（ケナガコナダニ放飼）１日及び３日後にシャーレ内の肥料（ろ紙含）に寄生しているダニ数を実体顕微鏡で調査し、誘引低減率を求めた。